(57)【特許請求の範囲】
【請求項１】
入院予定患者が来院する薬局で操作される薬局側端末装置と、前記薬局側端末装置との間でデータの送受信が可能に構成され、前記入院予定患者を受け入れる医療施設で操作される医療施設側端末装置と、前記薬局側端末装置および前記医療施設側端末装置との間でデータの送受信が可能に構成されるとともに、受信した前記データを記憶する記憶部を備えるサーバと、を含む薬剤情報共有システムであって、
前記薬局側端末装置は、
前記入院予定患者を特定するための情報として前記入院予定患者の状態に関する情報を含む患者属性データと、前記患者属性データに対応付けられるとともに、前記入院予定患者に処方された薬剤に関する情報として前記入院予定患者のかかりつけ薬剤師が所属する前記薬局において処方された薬剤に関する情報を含む処方箋データの入力を受け付ける入力部を有し、
前記医療施設側端末装置は、
前記入院予定患者が前記医療施設に入院する前に前記医療施設に来院した際、前記サーバから前記患者属性データおよび前記処方箋データを取得し、
前記医療施設側端末装置は、
前記患者属性データおよび前記処方箋データに基づいて前記入院予定患者の持参薬に関する情報を含む持参薬データを作成するデータ作成部を有し、
前記医療施設側端末装置は、
前記入院予定患者が前記医療施設に入院する前に前記持参薬データを前記薬局側端末装置へ送信することにより、前記かかりつけ薬剤師へ前記入院予定患者の入院予定を通知し、
前記医療施設側端末装置は、前記入院予定患者が前記医療施設に入院する前に前記かかりつけ薬剤師の前記持参薬に関するアドバイスを含む情報を前記薬局側端末装置から取得し、
前記医療施設側端末装置は、前記入院予定患者が前記医療施設に入院している最中に処方された薬剤に関する情報を含む処方実績データの入力を受け付ける入力部を有する、薬剤情報共有システム。
【請求項２】
入院予定患者が来院する薬局で操作される薬局側端末装置と、前記薬局側端末装置との間でデータの送受信が可能に構成され、前記入院予定患者を受け入れる医療施設で操作される医療施設側端末装置と、前記薬局側端末装置および前記医療施設側端末装置との間でデータの送受信が可能に構成されるとともに、受信した前記データを記憶する記憶部を備えるサーバとの間でデータを共有する薬剤情報共有方法であって、
前記入院予定患者を特定するための情報として前記入院予定患者の状態に関する情報を含む患者属性データと、前記患者属性データに対応付けられるとともに、前記入院予定患者に処方された薬剤に関する情報として前記入院予定患者のかかりつけ薬剤師が所属する前記薬局において処方された薬剤に関する情報を含む処方箋データと、を前記薬局側端末装置に入力するステップと、
前記入院予定患者が前記医療施設に入院する前に前記医療施設に来院した際、前記サーバから前記患者属性データおよび前記処方箋データを前記医療施設側端末装置が取得するステップと、
前記患者属性データおよび前記処方箋データに基づいて前記入院予定患者の持参薬に関する情報を含む持参薬データを前記医療施設側端末装置が作成するステップと、
前記入院予定患者が前記医療施設に入院する前に前記医療施設側端末装置から前記薬局側端末装置へ前記持参薬データを送信することにより、前記かかりつけ薬剤師へ前記入院予定患者の入院予定を通知するステップと、
前記入院予定患者が前記医療施設に入院する前に前記医療施設側端末装置が前記薬局側端末装置から前記かかりつけ薬剤師の前記持参薬に関するアドバイスを含む情報を取得するステップと、
前記入院予定患者が前記医療施設に入院している最中に処方された薬剤に関する情報を含む処方実績データの入力を前記医療施設側端末装置が受け付けるステップと、を有する薬剤情報共有方法。
【発明の詳細な説明】
【技術分野】
【０００１】
本発明は、医療施設と薬局との間での薬剤に関するデータの共有を可能にする薬剤情報共有システムおよび薬剤情報共有方法に関する。
【背景技術】
【０００２】
近年、医療従事者の作業フローの簡略化を可能にする医療システムの普及が急速に進められている。例えば、医師が往診先に携行する薬剤の種類の選択を補助する医療システムや、薬剤の投与と診療行為との間の時間差を考慮した診療スケジュールの立案を支援する医療システムなどが開発されている（下記特許文献１、２を参照）。
【先行技術文献】
【特許文献】
【０００３】
【特許文献１】特開２００５−６３１２５号公報
【特許文献２】特開２００４−２８７９０９号公報
【発明の概要】
【発明が解決しようとする課題】
【０００４】
ところで、病院等の医療施設に勤務する薬剤師（以下、院内薬剤師）の業務の一つとして、入院患者の持参薬の確認がある。持参薬を確認するのは、入院している最中においても同様の薬を同じように患者が服用できるようにするためであり、持参薬の院内採用の有無(先発品の有無、後発品の有無、規格の一致または不一致、剤形違い等)の確認や薬効に基づく代替薬の提案だけではなく、薬物アレルギーの有無や術前に中止すべき薬の休薬期間などについても確認がなされる。持参薬に関する情報は、入院患者の病態を管理するうえで重要なものとなるため、持参薬の確認を早急に実施し、その結果を病棟側へ迅速にフィードバックすることが望ましいとされている。
【０００５】
ただし、持参薬の確認のために行われる面談は、入院当日に担当の院内薬剤師が病室を訪問し、入院患者との間で直接行われる。看護師による介入や医師による入院患者の検査等が開始されると、持参薬の確認のための面談を患者との間で行う時間を確保することが難しくなるため、院内薬剤師は患者が病棟に入る前に持参薬の確認作業を行わなければならない。このような病院内の作業フローによる制約があるため、院内薬剤師の業務スケジュールは、持参薬の確認業務の存在により大きく左右される。
【０００６】
入院患者が携行した持参薬は、ピルケースに入れられたり、薬剤名が表記されていない袋内に収容されていたりすることがある。このため、院内薬剤師が持参薬を特定するために非常に多くの時間を要することがある。患者によっては、多種の薬剤を服用していることがあるため、薬剤の個数を把握するだけでも多くの時間を要することがある。
【０００７】
また、在宅医療患者は、症状に依っては比較的短期間の間に入退院を繰り返すことがある。入院する都度、持参薬の確認のための面談に多くの時間を費やすと、院内薬剤師にとっても、患者にとっても時間的な拘束による負担が非常に大きなものとなる。また、過疎化が進む地方都市などにおいては、院内薬剤師の数が不足していることもあるため、各種業務を行う上で院内薬剤師に課される時間的な制約はより一層厳しいものとなっている。
【０００８】
以上のような理由より、院内薬剤師は、薬剤管理指導等の他の医療サービスを入院患者に対して提供するための十分な時間を捻出することができないという課題を抱えている。
【０００９】
前述したように、医療従事者の様々なニーズに対応した医療システムの開発が進められているものの、現状では、上記課題の解決を目的とした医療システム等は存在しない。
【００１０】
本発明は、上記課題を解決するためになされたものであり、院内薬剤師が行う持参薬の確認業務に要する時間を大幅に削減することを可能にする薬剤情報共有システムおよび薬剤情報共有方法を提供することを目的とする。
【課題を解決するための手段】
【００１１】
本発明に係る薬剤情報共有システムは、入院予定患者が来院する薬局で操作される薬局側端末装置と、前記薬局側端末装置との間でデータの送受信が可能に構成され、前記入院予定患者を受け入れる医療施設で操作される医療施設側端末装置と、前記薬局側端末装置および前記医療施設側端末装置との間でデータの送受信が可能に構成されるとともに、受信した前記データを記憶する記憶部を備えるサーバと、を含む薬剤情報共有システムであって、前記薬局側端末装置は、前記入院予定患者を特定するための情報として前記入院予定患者の状態に関する情報を含む患者属性データと、前記患者属性データに対応付けられるとともに、前記入院予定患者に処方された薬剤に関する情報として前記入院予定患者のかかりつけ薬剤師が所属する前記薬局において処方された薬剤に関する情報を含む処方箋データの入力を受け付ける入力部を有し、前記医療施設側端末装置は、前記入院予定患者が前記医療施設に入院する前に前記医療施設に来院した際、前記サーバから前記患者属性データおよび前記処方箋データを取得し、前記医療施設側端末装置は、前記患者属性データおよび前記処方箋データに基づいて前記入院予定患者の持参薬に関する情報を含む持参薬データを作成するデータ作成部を有し、前記医療施設側端末装置は、前記入院予定患者が前記医療施設に入院する前に前記持参薬データを前記薬局側端末装置へ送信することにより、前記かかりつけ薬剤師へ前記入院予定患者の入院予定を通知し、前記医療施設側端末装置は、前記入院予定患者が前記医療施設に入院する前に前記かかりつけ薬剤師の前記持参薬に関するアドバイスを含む情報を前記薬局側端末装置から取得し、前記医療施設側端末装置は、前記入院予定患者が前記医療施設に入院している最中に処方された薬剤に関する情報を含む処方実績データの入力を受け付ける入力部を有する。
【００１２】
また、本発明に係る薬剤情報共有方法は、入院予定患者が来院する薬局で操作される薬局側端末装置と、前記薬局側端末装置との間でデータの送受信が可能に構成され、前記入院予定患者を受け入れる医療施設で操作される医療施設側端末装置と、前記薬局側端末装置および前記医療施設側端末装置との間でデータの送受信が可能に構成されるとともに、受信した前記データを記憶する記憶部を備えるサーバとの間でデータを共有する薬剤情報共有方法であって、前記入院予定患者を特定するための情報として前記入院予定患者の状態に関する情報を含む患者属性データと、前記患者属性データに対応付けられるとともに、前記入院予定患者に処方された薬剤に関する情報として前記入院予定患者のかかりつけ薬剤師が所属する前記薬局において処方された薬剤に関する情報を含む処方箋データと、を前記薬局側端末装置に入力するステップと、前記入院予定患者が前記医療施設に入院する前に前記医療施設に来院した際、前記サーバから前記患者属性データおよび前記処方箋データを前記医療施設側端末装置が取得するステップと、前記患者属性データおよび前記処方箋データに基づいて前記入院予定患者の持参薬に関する情報を含む持参薬データを前記医療施設側端末装置が作成するステップと、前記入院予定患者が前記医療施設に入院する前に前記医療施設側端末装置から前記薬局側端末装置へ前記持参薬データを送信することにより、前記かかりつけ薬剤師へ前記入院予定患者の入院予定を通知するステップと、前記入院予定患者が前記医療施設に入院する前に前記医療施設側端末装置が前記薬局側端末装置から前記かかりつけ薬剤師の前記持参薬に関するアドバイスを含む情報を取得するステップと、前記入院予定患者が前記医療施設に入院している最中に処方された薬剤に関する情報を含む処方実績データの入力を前記医療施設側端末装置が受け付けるステップと、を有する。
【発明の効果】
【００１３】
上記の薬剤情報共有システムおよび薬剤情報共有方法によれば、院内薬剤師は、入院予定患者の入院に先立ち、医療施設側端末装置を通じて入院予定患者の持参薬に関する情報を取得することができる。院内薬剤師は、入院当日に持参薬の確認業務を行う際、事前に取得した持参薬に関する情報を活用することにより、当該確認業務に要する時間を大幅に削減することができる。このため、確認業務に費やしていた多大な時間を他の医療サービスの提供に割り当てることが可能になるため、医療施設内において提供される医療サービスの質の向上を図ることができる。
【図面の簡単な説明】
【００１４】
【図１】実施形態に係る薬剤情報共有システムを示す概念図である。
【図２】実施形態に係る薬局側端末装置の構成を概略的に示すブロック図である。
【図３】実施形態に係る医療施設側端末装置の構成を概略的に示すブロック図である。
【図４】実施形態に係るサーバの構成を概略的に示すブロック図である。
【図５】実施形態に係る薬剤情報共有システムの処理フローを示す図である。
【図６】実施形態に係る薬剤情報共有システムで取り扱われる各データを説明するための図である。
【発明を実施するための形態】
【００１５】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１６】
図１には、本実施形態に係る薬剤情報共有システム１を示している。
【００１７】
薬剤情報共有システム１は、入院予定患者が来院する薬局１００で操作される薬局側端末装置１１０と、入院予定患者を受け入れる医療施設２００で操作される医療施設側端末装置２１０と、各種データを記憶する記憶部３１６（図４を参照）を備えるサーバ３１０と、により構成している。
【００１８】
薬剤情報共有システム１について説明する。
【００１９】
薬局１００は、例えば、入院予定患者のかかりつけ薬剤師Ａが所属（勤務）する薬局である。かかりつけ薬剤師Ａは、薬局側端末装置１１０を操作して、入院予定患者に関するデータを入力する。入力したデータは、サーバ３１０に送信されて、当該サーバ３１０の記憶部３１６により記憶される。
【００２０】
医療施設２００は、例えば、入院予定患者が入院する病院である。医療施設２００に所属（勤務）する院内薬剤師Ｂは、医療施設側端末装置２１０を操作して、入院予定患者に関するデータを入力したり、入院予定患者に関するデータを作成したりする。
【００２１】
サーバ３１０は、薬局側端末装置１１０から送信されたデータ、および医療施設側端末装置２１０から送信されデータを管理する。また、サーバ３１０は、薬局側端末装置１１０からの要求や医療施設側端末装置２１０からの要求に応じて、記憶部３１６に記憶されたデータを各端末装置１１０、２１０へ送信する。
【００２２】
薬局側端末装置１１０、医療施設側端末装置２１０、およびサーバ３１０は、インターネット１０を介して相互に接続されている。薬局１００に所属するかかりつけ薬剤師Ａと、医療施設２００に所属する院内薬剤師Ｂは、インターネット１０を介してサーバ３１０に記憶された情報を取得および参照することにより、入院予定患者に関する情報を共有することが可能である。
【００２３】
薬局側端末装置１１０および医療施設側端末装置２１０は、例えば、デスクトップ型ＰＣ、モバイル型ＰＣ、情報端末装置等により構成することが可能である。サーバ３１０は、例えば、大容量の記憶部（データベース）３１６を備えるサーバコンピュータや、ウェブサーバ等により構成することが可能である。また、薬局側端末装置１１０、医療施設側端末装置２１０、およびサーバ３１０を接続するネットワークは、有線方式でもよいし、無線方式でもよい。
【００２４】
薬局側端末装置１１０について説明する。
【００２５】
図２を参照して、薬局側端末装置１１０は、入力部１１１と、通信部１１２と、出力部１１３と、入出力ポート１１４と、ＣＰＵ１１５と、記憶部１１６と、ＲＡＭ１１７と、ＲＯＭ１１８と、を有している。
【００２６】
入力部１１１は、入院予定患者を特定するための情報を含む患者属性データＤ１と、患者属性データＤ１に対応付けられるとともに、入院予定患者に処方された薬剤に関する情報を含む処方箋データＤ２の入力を受け付ける。各データＤ１、Ｄ２の詳細は後述する（各データＤ１、Ｄ２の概要は図６を参照）。
【００２７】
入力部１１１は、薬局側端末装置１１０に備えられるキーボード、静電容量式のタッチパネル、スキャナー等で構成することが可能である。なお、入力部１１１は、ユーザー（かかりつけ薬剤師Ａ等）からの動作指示を受け付ける入力インターフェースとしても利用することができる。
【００２８】
通信部１１２は、医療施設側端末装置２１０およびサーバ３１０との間でインターネット１０を介してデータ通信を行う機能を有する。
【００２９】
出力部１１３は入力部１１１で入力したデータを表示したり、医療施設側端末装置２１０やサーバ３１０から受信したデータを表示したりする。出力部１１３は、画像出力が可能な公知のディスプレイ等によって構成することが可能である。
【００３０】
入出力ポート１１４は、ＣＰＵ１１５から薬局側端末装置１１０内の各部へデータや動作指令を送出する機能と、薬局側端末装置１１０内の各部からＣＰＵ１１５へデータや動作指令を取り入れる機能を備えている。
【００３１】
ＣＰＵ１１５は、ＲＯＭ１１８に記憶した制御プログラムに従って計算や記憶を行い、制御信号を出力するなど各種処理を行う。記憶部１１６は、ＣＰＵ１１５の指示により各種データを記憶する。記憶部１１６は、例えば、入力部１１１を介して入力された患者属性データＤ１、処方箋データＤ２、通信部１１２を経由して受信したその他のデータ等を記憶する。ＲＡＭ１１７は、ＣＰＵ１１５の制御に必要な一時記憶装置として機能する。ＲＯＭ１１８は、ＣＰＵ１１５により実行される制御プログラム等を記憶する。
【００３２】
次に、医療施設側端末装置２１０について説明する。
【００３３】
図３を参照して、医療施設側端末装置２１０は、入力部２１１と、通信部２１２と、出力部２１３と、入出力ポート２１４と、ＣＰＵ２１５と、記憶部２１６と、ＲＡＭ２１７と、ＲＯＭ２１８と、を有している。薬局側端末装置１１０と同様の機能を有する構成については説明を省略する。
【００３４】
入力部２１１は、入院予定患者が医療施設２００に入院している最中に処方された薬剤に関する情報を含む処方実績データＤ４の入力を受け付ける。処方実績データＤ４の詳細は後述する（処方実績データＤ４の概要は図６を参照）。入力部２１１は、ユーザー（院内薬剤師Ｂ等）からの動作指示を受け付ける入力インターフェースとしても利用することができる。
【００３５】
ＣＰＵ２１５は、ＲＯＭ２１８に記憶した制御プログラムに従って計算や記憶を行い、制御信号を出力するなど各種処理を行う。ＣＰＵ２１５は、上記制御プログラムを実行することにより、入院予定患者の持参薬に関する情報を含む持参薬データＤ３の作成と、持参薬データＤ３に基づいて作成される確認用データＤ５を作成するデータ作成部として機能する。各データＤ３、Ｄ５の詳細は後述する（各データＤ３、Ｄ５の概要は図６を参照）。
【００３６】
次に、サーバ３１０について説明する。
【００３７】
図４を参照して、サーバ３１０は、入力部３１１と、通信部３１２と、出力部３１３と、入出力ポート３１４と、ＣＰＵ３１５と、記憶部３１６と、ＲＡＭ３１７と、ＲＯＭ３１８と、を有している。薬局側端末装置１１０と同様の機能を有する構成については説明を省略する。
【００３８】
記憶部３１６は大容量のデータベースであり、患者属性データＤ１、処方箋データＤ２、持参薬データＤ３、処方実績データＤ４、確認用データＤ５を記憶する（図６を参照）。記憶部３１６が記憶したデータは、必要に応じて送信、削除、更新等することが可能である。
【００３９】
次に、図５を参照して、薬剤情報共有システム１の処理フローについて説明する。
【００４０】
図５には、入院予定患者の入院前、入院中、退院後における処理フローの一例を示している。処理フロー中において薬剤情報共有システム１のハードウェア（薬局側端末装置１１０、医療施設側端末装置２１０、サーバ３１０）により実行される各ステップには、ステップ番号を付している。
【００４１】
入院予定患者が入院する前に薬局１００に来院し薬剤の処方を受けると、薬局側端末装置１１０には患者属性データＤ１と処方箋データＤ２が入力される（Ｓ１０１）。データの入力作業は、薬局１００に所属するかかりつけ薬剤師Ａ、かかりつけ薬剤師Ａ以外の薬剤師、薬局１００に所属するその他の医療従事者（医療事務員等）等により行うことができる。また、薬局側端末装置１１０以外の装置等により入力されたデータを転送して、薬局側端末装置１１０で入力を受け付けるようにしてもよい。
【００４２】
図６に示すように、患者属性データＤ１には、例えば、「入院予定患者を特定するための情報」と、「入院予定患者の状態に関する情報」と、が含まれる。入院予定患者を特定するための情報には、例えば、氏名、生年月日、性別が含まれる。入院予定患者の状態に関する情報には、例えば、薬物アレルギーの有無、副作用歴、摂取機能（嚥下能力、胃ろうや腸ろう等の有無）が含まれる。
【００４３】
処方箋データＤ２には、例えば、「薬剤情報」と、「薬局情報」と、が含まれる。薬剤情報には、例えば、処方した薬剤名、薬効効果、用法用量、処方日が含まれる。薬局情報には、例えば、処方薬局名、処方薬局の電話番号、かかりつけ薬剤師名が含まれる。
【００４４】
図５に示すように、薬局側端末装置１１０は、患者属性データＤ１と処方箋データＤ２が入力されると、各データＤ１、Ｄ２をサーバ３１０へ送信する（Ｓ１０２）。サーバ３１０は、各データＤ１、Ｄ２を記憶部３１６において記憶する（Ｓ１０３）。サーバ３１０は、同一の入院予定患者の各データＤ１、Ｄ２を既に記憶している場合、各データＤ１、Ｄ２を更新する。
【００４５】
サーバ３１０は、例えば、既存のネットワークインフラシステムに利用されているサーバにより構成することが可能である。既存のネットワークインフラシステムとしては、例えば、電子お薬手帳サービスや、マイナンバーシステムを挙げることができる。薬剤情報共有システム１の一部に既存のネットワークインフラシステムを組み込むことにより、システムの構築に要するコストの削減を図ることが可能になるとともに、一元化されたシステムを介してデータ管理を効率よく行うことが可能になる。以下、薬剤情報共有システム１と入院予定患者の電子お薬手帳システムとを連動させた場合の処理例を説明する。
【００４６】
入院予定患者は、入院に先立って、医療施設２００に来院し、医療施設２００の薬剤部との間で持参薬の確認を行う。入院予定患者は、持参薬の確認に際して、例えば、自身が所持する携帯端末装置上で電子お薬手帳用のアプリを起動させる。医療施設側端末装置２１０は、例えば、無線ネットワーク等を介して上記携帯端末装置と接続される。医療施設側端末装置２１０は、上記アプリを通じて、サーバ３１０に対して患者属性データＤ１および処方箋データＤ２の送信を要求する（Ｓ１０４）。
【００４７】
サーバ３１０は、医療施設側端末装置２１０からの要求に応じて患者属性データＤ１および処方箋データＤ２を送信する（Ｓ１０５）。
【００４８】
医療施設側端末装置２１０は、患者属性データＤ１および処方箋データＤ２を受信すると、これらのデータＤ１、Ｄ２に基づいて持参薬データＤ３を作成する（Ｓ１０６）。
【００４９】
図６に示すように、持参薬データＤ３は、例えば、患者属性データＤ１と処方箋データＤ２とにより構成することができる。ただし、院内薬剤師Ｂ等の要求に応じて、患者属性データＤ１と処方箋データＤ２から必要な情報だけを摘出して持参薬データＤ３を作成してもよい。
【００５０】
図５に示すように、医療施設側端末装置２１０は、持参薬データＤ３を作成した後、持参薬データＤ３に基づいて確認用データＤ５を作成する（Ｓ１０７）。なお、本実施形態では、持参薬データＤ３と確認用データＤ５の作成は、医療施設側端末装置２１０により実質的に同時に行うようにしているが、各データＤ３、Ｄ５は、院内薬剤師Ｂ等の要求に応じて時間差を設けて作成するようにしてもよい。
【００５１】
医療施設側端末装置２１０は、確認用データＤ５の作成に際し、当該医療施設側端末装置２１０の記憶部２１６や、医療施設２００内に設置されるサーバなどにおいて予め記憶される施設内薬剤データ（医療施設２００内に存在する薬剤に関する情報を含むデータ）を参照する。
【００５２】
図６に示すように、確認用データＤ５には、例えば、「院内採用情報」と、「効能効果情報」と、「ハイリスク薬情報」と、が含まれる。院内採用情報には、例えば、院内において同様の薬剤が存在するか否か、存在する場合、その薬剤は先発品か後発品であるかといった情報と、同様の薬剤は存在しないが、規格違いの薬剤が存在する旨の情報と、同様の薬剤は存在しないが、他剤形の薬剤は存在する旨の情報と、が含まれる。効能効果情報は、薬剤の適応のある疾患名に関する情報である。「ハイリスク薬情報」は、持参薬中にハイリスク薬（例えば、抗がん剤、経口血糖降下剤、インスリン、ワルファリン製剤、ジギタリス製剤、抗血小板剤、内服ステロイド剤等）が含まれているか否かに関する情報である。
【００５３】
医療施設側端末装置２１０は、院内薬剤師Ｂ等からの要求に応じて、確認用データＤ５を出力部（ディスプレイ等）２１３に出力させる。院内薬剤師Ｂは、出力部２１３上で確認用データＤ５を確認することにより、入院予定患者の持参薬に関する各種情報を確認することが可能になる。なお、出力部２１３上においてハイリスク薬情報を容易に確認することができるようにするために、例えば、警告を示す色等を付して表示するようにしてもよい。
【００５４】
院内薬剤師Ｂは、例えば、上記確認用データＤ５の内容を確認したうえで、持参薬についてかかりつけ薬剤師Ａと相談等する場合、医療施設側端末装置２１０から薬局側端末装置１１０へ持参薬データＤ３や確認用データＤ５を送信する。医療施設側端末装置２１０から薬局側端末装置１１０へ持参薬データＤ３や確認用データＤ５を送信する際、院内薬剤師Ｂは、入院予定日数、中止薬の有無、中止期間等に関する情報を各データ中に付加することが可能である。
【００５５】
かかりつけ薬剤師Ａは、持参薬データＤ３や確認用データＤ５を薬局側端末装置１１０の出力部１１３（ディスプレイ等）に出力させて、その内容を確認する。かかりつけ薬剤師Ａは、例えば、院内薬剤師Ｂとの間で、院内採用品がない薬剤の代替薬に関する相談、服薬中止薬の有無とその期間の確認、患者の状態により服用が困難な剤形および摂取方法（嚥下機能、胃ろう／腸ろうのチューブ径）等の確認を行う。
【００５６】
院内薬剤師Ｂは、かかりつけ薬剤師Ａからのフィードバックを反映した情報を医療施設側端末装置２１０の出力部２１３に表示させる。この際、出力部２１３には、かかりつけ薬剤師Ａと相談した結果、最終的に決定された持参すべき薬の種類と、個数が表示される。院内薬剤師Ｂは、図５に示す「入院前来院時の面談」で上記情報を入院予定患者に提供する。これにより、入院予定患者は、入院前の段階で入院当日に持参すべき持参薬を把握することが可能になる。
【００５７】
院内薬剤師Ｂは、図５に示す「入院当日の面談」では、事前に知らされた持参薬の種類と個数が一致しているか否かを確認する。また、院内薬剤師Ｂや他の医療従事者（例えば、看護師や医療事務員等）は、患者の同居家族の有無、認知機能、夜勤の有無などについても確認する。仮に、包材から出されている錠剤がある場合、院内薬剤師Ｂは公知の判別ソフトを使用して、薬剤の判別を行う。この際、刻印のない錠剤や包材に薬剤名が印字されていない粉薬等について確認する必要がある場合、院内薬剤師Ｂは、薬剤情報共有システム１や電話等による通話を介してかかりつけ薬剤師Ａに連絡する。なお、入院当日の面談で知り得た情報をデータとして保管しておく必要がある場合、院内薬剤師Ｂは医療施設側端末装置２１０を通じてサーバ３１０にそのようなデータを送信し、サーバ３１０の記憶部３１６に記憶させることができる。
【００５８】
院内薬剤師Ｂは、入院予定患者の入院に先立ち、医療施設側端末装置２１０および薬局側端末装置１１０を通じて、かかりつけ薬剤師Ａへ持参薬に関するアドバイスを求めることにより、かかりつけ薬剤師Ａへ患者の入院予定を通知することが可能になる。また、院内薬剤師Ｂは、医療施設側端末装置２１０および薬局側端末装置１１０を通じて、入院予定患者の過去の処方箋の情報を迅速に入手することが可能になる。さらに、院内薬剤師Ｂは、かかりつけ薬剤師Ａと連携して持参すべき薬剤の種類や個数を決定することができるため、院内薬剤師Ｂが入院当日に行う確認作業は、原則として、薬剤の種類の確認と個数の確認だけとなる。したがって、入院当日に行われる持参薬の確認業務に要する時間を大幅に削減することが可能になる。持参薬に関する不明な点は、かかりつけ薬剤師Ａに予め確認しているため、不明な点に関する疑問は容易に解消することができる。
【００５９】
また、かかりつけ薬剤師Ａの助言のもと、病院側の担当医や院内薬剤師Ｂとで患者に合った処方や調剤を行うことが可能になるため、適切なクリニカルパスの策定が可能になる。さらに、緊急入院が必要な場合等においても、薬剤情報共有システム１を介してかかりつけ薬剤師に問い合わせを行うことが可能であるため、このような場合にも迅速な対応を実現することができる。
【００６０】
また、入院した患者の持参薬に関する各種データを保管しておき、必要に応じてデータを読み出して参照することが可能になるため、例えば、比較的短期間の間に医療施設への入退院を繰り返し行うことがあるような在宅医療患者に対する持参薬の確認のための面談を、入院時の症状等に応じて適宜簡略化することも可能になる。これにより、院内薬剤師と在宅医療患者との間で行われる持参薬の確認のための面談に要する時間を大幅に削減することができる。また、薬剤情報共有システム１を利用することにより、在宅医療患者と医療施設に所属するかかりつけ医との間での情報共有も図られるため、在宅医療患者向けの適切なクリニカルパスを策定することが可能になる。また、院内薬剤師が不足している地方都市などにおいて薬剤情報共有システム１を構築することにより、持参薬の確認のための面談に要する時間を短縮することができるため、地域医療において提供される医療サービスの質の向上を図ることが可能になる。
【００６１】
図５を参照して、患者が入院している最中に患者の症状等が急変した緊急時には、例えば、医療施設側端末装置２１０は、サーバ３１０に対して患者属性データＤ１や処方箋データＤ２を送信する旨の要求を行う（Ｓ１０８）。
【００６２】
サーバ３１０は、医療施設側端末装置２１０からの要求に応じて患者属性データＤ１や処方箋データＤ２を送信する（Ｓ１０９）。院内薬剤師Ｂは、薬剤情報共有システム１を利用することにより、入院中の緊急時にも必要なデータを迅速に取得することができる。なお、医療施設側端末装置２１０および薬局側端末装置１１０を通じてかかりつけ薬剤師Ａや、かかりつけ薬剤師Ａが所属する薬局とコンタクトをとって情報提供を受け付けることも可能である。
【００６３】
医療施設２００に入院している最中に、患者に対して薬剤が処方された場合、医療施設側端末装置２１０には、処方された薬剤に関する情報を含む処方実績データＤ４が入力される（Ｓ１１０）。データの入力作業は、例えば、医療施設２００に所属する院内薬剤師Ｂ、院内薬剤師Ｂ以外の他の医療従事者（医師、介護士、医療事務員等）により行うことができる。また、医療施設側端末装置２１０以外の装置等により入力されたデータを転送して、医療施設側端末装置２１０で入力を受け付けるようにしてもよい。
【００６４】
図６に示すように、処方実績データＤ４には、例えば、「薬剤情報」が含まれる。薬剤情報には、例えば、処方した薬剤名、薬効効果、用法用量、処方日が含まれる。
【００６５】
図５に示すように、医療施設側端末装置２１０は、処方実績データＤ４が入力されると、処方実績データＤ４をサーバ３１０へ送信する（Ｓ１１１）。サーバ３１０は、処方実績データＤ４を記憶部３１６において記憶する（Ｓ１１２）。
【００６６】
例えば、患者が退院した後、かかりつけ薬剤師Ａが入院中の処方内容に関する情報を確認したい場合、かかりつけ薬剤師Ａは、薬局側端末装置１１０を通じて、サーバ３１０に対して処方実績データＤ４を送信する旨の要求を行う（Ｓ１１３）。サーバ３１０は、薬局側端末装置１１０からの要求に応じて処方実績データＤ４を送信する（Ｓ１１４）。かかりつけ薬剤師Ａは、薬局側端末装置１１０が受信した情報を参照することにより、入院中の患者に処方された薬剤の種類や数量等を把握することが可能になる。
【００６７】
以下、本実施形態の作用について説明する。
【００６８】
本実施形態に係る薬剤情報共有システム１は、入院予定患者が来院する薬局１００で操作される薬局側端末装置１１０と、薬局側端末装置１１０との間でデータの送受信が可能に構成され、入院予定患者を受け入れる医療施設２００で操作される医療施設側端末装置２１０と、を含む。上記薬局側端末装置１１０は、入院予定患者を特定するための情報を含む患者属性データＤ１と、患者属性データＤ１に対応付けられるとともに、入院予定患者に処方された薬剤に関する情報を含む処方箋データＤ２の入力を受け付ける入力部１１１を有している。上記医療施設側端末装置２１０は、入院予定患者が医療施設２００に入院する前に患者属性データＤ１および処方箋データＤ２を取得する。
【００６９】
上記の薬剤情報共有システム１によれば、院内薬剤師Ｂは、入院予定患者の入院に先立ち、医療施設側端末装置２１０を通じて入院予定患者の持参薬に関する情報を取得することができる。院内薬剤師Ｂは、入院当日に持参薬の確認業務を行う際、事前に取得した持参薬に関する情報を活用することにより、当該確認業務に要する時間を大幅に削減することができる。このため、確認業務に費やしていた多大な時間を他の医療サービスの提供に割り当てることが可能になるため、医療施設２００内において提供される医療サービスの質の向上を図ることができる。
【００７０】
また、医療施設側端末装置２１０は、患者属性データＤ１および処方箋データＤ２に基づいて入院予定患者の持参薬に関する情報を含む持参薬データＤ３を作成するデータ作成部（ＣＰＵ）２１５を有している。このため、院内薬剤師Ｂは、医療施設側端末装置２１０上において持参薬データＤ３を参照することにより、持参薬の選定を適切かつ迅速に行うことが可能になる。
【００７１】
医療施設側端末装置２１０は、入院予定患者が医療施設２００に入院している最中に処方された薬剤に関する情報を含む処方実績データＤ４の入力を受け付ける入力部２１１を有している。このため、かかりつけ薬剤師Ａは、入院中の患者に処方された薬剤の種類や数量等を把握することが可能になるため、退院後の患者に対して適切な薬剤の処方を行うことが可能になる。
【００７２】
また、処方箋データＤ２は、入院予定患者のかかりつけ薬剤師Ａが所属する薬局１００において処方された薬剤に関する情報を含むため、院内薬剤師Ｂは、かかりつけ薬剤師Ａが処方した薬剤の内容を正確に把握することができる。これにより、院内薬剤師Ｂは、入院予定患者の持参薬の選定をより一層適切に行うことが可能になる。
【００７３】
また、患者属性データＤ１は、入院予定患者の状態に関する情報を含むため、院内薬剤師Ｂは、患者の症状、選択可能な投与経路等を加味したうえで、剤形等を選択することが可能になる。これにより、院内薬剤師Ｂは、入院予定患者の持参薬の選定をより一層適切に行うことが可能になる。
【００７４】
また、薬剤情報共有システム１は、薬局側端末装置１１０および医療施設側端末装置２１０との間でデータの送受信が可能に構成されるとともに、受信したデータを記憶する記憶部３１６を備えるサーバ３１０を含む。このため、サーバ３１０による一元的なデータの管理が可能になる。
【００７５】
また、本実施形態に係る薬剤情報共有方法は、入院予定患者が来院する薬局１００で操作される薬局側端末装置１１０と、薬局側端末装置１１０との間でデータの送受信が可能に構成され、入院予定患者を受け入れる医療施設２００で操作される医療施設側端末装置２１０との間でデータを共有する薬剤情報共有方法であって、入院予定患者を特定するための情報を含む患者属性データＤ１と、患者属性データＤ１に対応付けられるとともに、入院予定患者に処方された薬剤に関する情報を含む処方箋データＤ２と、を薬局側端末装置１１０に入力するステップと、入院予定患者が医療施設２００に入院する前に患者属性データＤ１および処方箋データＤ２を医療施設側端末装置２１０が取得するステップと、を有している。
【００７６】
上記の薬剤情報共有方法によれば、院内薬剤師Ｂは、入院予定患者の入院に先立ち、医療施設側端末装置２１０を通じて入院予定患者の持参薬に関する情報を取得することができる。院内薬剤師Ｂは、入院当日に持参薬の確認業務を行う際、事前に取得した持参薬に関する情報を活用することにより、当該確認業務に要する時間を大幅に削減することができる。このため、確認業務に費やしていた多大な時間を他の医療サービスの提供に割り当てることが可能になるため、医療施設２００内において提供される医療サービスの質の向上を図ることができる。
【００７７】
以上、実施形態を通じて本発明に係る薬剤情報共有システムおよび薬剤情報共有方法を説明したが、本発明は実施形態において説明した内容のみに限定されることはなく、特許請求の範囲の記載に基づいて適宜変更することが可能である。
【００７８】
例えば、サーバは、薬局や医療施設内に設置されるものであってもよい。また、薬局や医療施設内の各々にサーバを設置し、各サーバと各端末装置との間でデータの送受信を行うようにしてもよい。また、例えば、薬局側端末装置の記憶部において各種データを記憶させたり、医療施設側端末装置の記憶部において各種データを記憶させたりすることにより、薬剤情報共有システムにサーバを含めないようにしてもよい。
【００７９】
また、薬剤情報共有システムは、医療施設および／または薬局に備えられる電子カルテシステムとの間でデータの送受信等を行うように構成してもよい。
【００８０】
また、薬剤情報共有システムを利用する薬剤師として、入院予定患者のかかりつけ薬剤師を例に挙げたが、薬剤情報共有システムは、かかりつけ薬剤師以外の薬剤師が利用するようにしてもよい。さらには、上述した実施形態に係る薬剤情報共有システムおよび薬剤情報共有方法は、かかりつけ薬剤師Ａとして説明したが、かかりつけ薬局に所属する薬剤師Ａという捉え方でもよい。実際は特定の薬剤師に限らず、入院予定患者のかかりつけとなる同じ薬局内の複数の薬剤師が入院予定患者に対応する場合があり得るからである。
【符号の説明】
【００８１】
１  薬剤情報共有システム、
１０  インターネット、
１００  薬局、
１１０  薬局側端末装置、
１１１  入力部、
１１２  通信部、
１１３  出力部、
１１５  ＣＰＵ、
２００  医療施設、
２１０  医療施設側端末装置、
２１１  入力部、
２１２  通信部、
２１３  出力部、
２１５  ＣＰＵ（データ作成部）、
３１０  サーバ、
３１６  記憶部、
Ａ  かかりつけ薬剤師（薬局に所属する薬剤師）、
Ｂ  院内薬剤師、
Ｄ１  患者属性データ、
Ｄ２  処方箋データ、
Ｄ３  持参薬データ、
Ｄ４  処方実績データ、
Ｄ５  確認用データ。
【図１】
0006730088.tif 000002
【図２】
0006730088.tif 000003
【図３】
0006730088.tif 000004
【図４】
0006730088.tif 000005
【図５】
0006730088.tif 000006
【図６】
0006730088.tif 000007